(57)【要約】  本開示は、LPWA（Low Power Wide Area）通信における受信側の処理負荷を低減できるようにする送信装置および送信方法、並びに受信装置および受信方法に関する。複数の送信装置を複数のグループに分割し、個別の識別情報に代えて、グループに設定されるグループ識別情報と、送信装置と受信装置とで共有している通信間隔情報とに基づいた、通信時刻、および通信周波数で通信データを送受信する。本開示は、LPWA通信システムに適用することができる。
2020129634.tif 000002
【特許請求の範囲】
【請求項１】
自らの個体識別情報と、前記自らと受信装置とで共有している通信間隔情報とに基づいた、通信時刻、および通信周波数で通信データの前記受信装置への送信を制御する送信制御部を備え、
前記送信制御部は、特定の通信において、前記自らを含めた複数の送信装置を複数のグループに分割したとき、前記自らが属するグループに設定されるグループ識別情報と、前記自らと前記受信装置とで共有している通信間隔情報とに基づいた、前記通信時刻、および前記通信周波数で通信データの前記受信装置への送信を制御する
送信装置。
【請求項２】
前記送信制御部は、前記特定の通信において、ペイロードに前記自らの個体識別情報を格納させた前記通信データを生成し、前記受信装置への送信を制御する
請求項１に記載の送信装置。
【請求項３】
前記個体識別情報、時刻情報、および自らのグループに設定される前記グループ識別情報の個数に基づいて、前記グループ識別情報を決定するグループ識別情報決定部をさらに含む
請求項１に記載の送信装置。
【請求項４】
グループ識別情報決定部は、前記個体識別情報、および前記時刻情報を初期値としてLFSR（Linear Feedback Shift Register）を用いたときの、前記グループ識別情報の個数に対応するビット数の擬似乱数を用いて、前記グループ識別情報を決定する
請求項３に記載の送信装置。
【請求項５】
緊急事態が発生したときに操作される操作部をさらに含み、
前記時刻情報は、前回の前記特定の通信が完了した時刻、または、前記操作部が操作された時刻を含む
請求項３に記載の送信装置。
【請求項６】
前記操作部が操作されたとき、前記送信制御部は、前記特定の通信により、前記通信データを前記受信装置に送信する
請求項５に記載の送信装置。
【請求項７】
前記通信間隔情報と現在時刻情報に基づいて前記通信時刻を決定する通信時刻決定部をさらに含む
請求項１に記載の送信装置。
【請求項８】
現在時刻情報は、GPS（Global Positioning System）装置により取得される時刻情報である
請求項７に記載の送信装置。
【請求項９】
前記通信データのペイロードには、前記GPS（Global Positioning System）装置により取得される位置情報が格納される
請求項８に記載の送信装置。
【請求項１０】
自らの個体識別情報と、前記自らと受信装置とで共有している通信間隔情報とに基づいた、通信時刻、および通信周波数で通信データの前記受信装置への送信を制御する送信制御部を備えた送信装置の送信方法であって、
前記送信制御部が、特定の通信において、前記自らを含めた複数の送信装置を複数のグループに分割したとき、前記自らが属するグループに設定されるグループ識別情報と、前記自らと前記受信装置とで共有している通信間隔情報とに基づいた、前記通信時刻、および前記通信周波数で通信データの前記受信装置への送信を制御する
送信方法。
【請求項１１】
複数の送信装置の個体識別情報と、前記送信装置と自らとで共有している通信間隔情報とに基づいた、通信時刻、および通信周波数で通信データの受信を制御する受信制御部を備え、
前記受信制御部は、特定の通信において、前記複数の前記送信装置を複数のグループに分割したとき、前記送信装置が属するグループに設定されるグループ識別情報と、前記送信装置と自らとで共有している通信間隔情報とに基づいた、前記通信時刻、および前記通信周波数で通信データの受信を制御する
受信装置。
【請求項１２】
前記受信制御部は、受信した前記通信データのペイロードに前記グループ識別情報が格納されているとき、前記特定の通信として、前記通信データの受信を制御する
請求項１１に記載の受信装置。
【請求項１３】
前記グループ識別情報は、前記通信データを送信してきた前記送信装置の個体識別情報、時刻情報、および自らのグループに設定される前記グループ識別情報の個数に基づいて決定される
請求項１１に記載の受信装置。
【請求項１４】
前記グループ識別情報は、前記個体識別情報、および前記時刻情報を初期値としてLFSR（Linear Feedback Shift Register）を用いたときの、前記グループ識別情報の個数に対応するビット数の擬似乱数を用いて決定される
請求項１３に記載の受信装置。
【請求項１５】
前記通信時刻は、前記通信間隔情報と現在時刻情報に基づいて決定される
請求項１１に記載の受信装置。
【請求項１６】
前記現在時刻情報は、GPS（Global Positioning System）装置により取得される時刻情報である
請求項１５に記載の受信装置。
【請求項１７】
前記通信データのペイロードには、前記送信装置のGPS（Global Positioning System）装置により取得される位置情報が格納される
請求項１６に記載の受信装置。
【請求項１８】
前記特定の通信は、前記送信装置において、緊急事態が発生したときに操作される操作部が操作されたときに、前記送信装置の位置情報がペイロードに格納された前記通信データが送信される通信である
請求項１１に記載の受信装置。
【請求項１９】
前記受信制御部により受信された通信データを、中継して他の受信装置に送信する送信制御部をさらに含む
請求項１１に記載の受信装置。
【請求項２０】
複数の送信装置の個体識別情報と、前記送信装置と自らとで共有している通信間隔情報とに基づいた、通信時刻、および通信周波数で通信データの受信を制御する受信制御部を備えた受信装置における受信方法であって、
前記受信制御部が、特定の通信において、前記複数の前記送信装置を複数のグループに分割したとき、前記送信装置が属するグループに設定されるグループ識別情報と、前記送信装置と自らとで共有している通信間隔情報とに基づいた、前記通信時刻、および前記通信周波数で通信データの受信を制御する
受信方法。
【発明の詳細な説明】
【技術分野】
【０００１】
本開示は、送信装置および送信方法、並びに受信装置および受信方法に関し、特に、LPWA（Low Power Wide Area）通信における受信側の処理負荷を低減できるようにした送信装置および送信方法、並びに受信装置および受信方法に関する。
【背景技術】
【０００２】
LPWA（Low Power Wide Area）通信を用いた通信技術が提案されている（特許文献１参照）。【０００３】
LPWA通信は、低ビットレートによる少量のPayloadデータ（100ビット前後）を、IoT端末（送信装置）からIoTゲートウェイ（受信装置）に一方向に送受信する通信であるため、LPWA通信を行なうIoT端末（送信器）においては低消費電力での通信を実現することができる。
【先行技術文献】
【特許文献】
【０００４】
【特許文献１】特許第６２５９５５０号公報
【発明の概要】
【発明が解決しようとする課題】
【０００５】
上述したLPWA通信においては、送信装置からの通信をカバーできる範囲を広くするには、受信装置を広範囲に設置する必要がある。【０００６】
特に、山間部などの電波が届き難い地域においては、サーバ装置にアクセスできるような環境も整っていないので、中継器などを設置することで、通信可能な受信装置に対して受信した送信装置からの信号を中継することで、範囲をカバーすることが考えられる。【０００７】
LPWA通信においては、送信装置における低消費電力を実現させるため、受信装置においては、多くの送信装置からの通信を、タイミングや周波数を変えて、個別に受け付ける必要があり、送信装置の数が多くなる程、受信に要する処理負荷が高くなり、それに伴って、装置構成が大型化し、消費電力も大きくなる。【０００８】
一方、山間部などにおいては、商用電力の供給を受けることができず、太陽電池などの限られた電力供給しか受けられない環境であることが多い。【０００９】
このため、送信装置の処理負荷を低減させることを目的としたLPWA通信において、多くの送信装置からの通信を受け付けて受信装置に中継する中継器を実現するには、LPWA通信における受信側の処理負荷を低減させ、より低消費電力の中継器を実現する必要がある。【００１０】
本開示は、このような状況に鑑みてなされたものであり、特に、LPWA通信において、受信に係る処理負荷を低減するものである。
【課題を解決するための手段】
【００１１】
本開示の第１の側面の送信装置は、自らの個体識別情報と、前記自らと受信装置とで共有している通信間隔情報とに基づいた、通信時刻、および通信周波数で通信データの前記受信装置への送信を制御する送信制御部を備え、前記送信制御部は、特定の通信において、前記自らを含めた複数の送信装置を複数のグループに分割したとき、前記自らが属するグループに設定されるグループ識別情報と、前記自らと前記受信装置とで共有している通信間隔情報とに基づいた、前記通信時刻、および前記通信周波数で通信データの前記受信装置への送信を制御する送信装置である。【００１２】
本開示の第１の側面の送信方法は、送信装置の構成に対応する。【００１３】
本開示の第１の側面においては、自らの個体識別情報と、前記自らと受信装置とで共有している通信間隔情報とに基づいた、通信時刻、および通信周波数で通信データの前記受信装置への送信が制御され、特定の通信において、前記自らを含めた複数の送信装置を複数のグループに分割したとき、前記自らが属するグループに設定されるグループ識別情報と、前記自らと前記受信装置とで共有している通信間隔情報とに基づいた、前記通信時刻、および前記通信周波数で通信データの前記受信装置への送信が制御される。【００１４】
本開示の第２の側面の受信装置は、複数の送信装置の個体識別情報と、前記送信装置と自らとで共有している通信間隔情報とに基づいた、通信時刻、および通信周波数で通信データの受信を制御する受信制御部を備え、前記受信制御部は、特定の通信において、前記複数の前記送信装置を複数のグループに分割したとき、前記送信装置が属するグループに設定されるグループ識別情報と、前記送信装置と自らとで共有している通信間隔情報とに基づいた、前記通信時刻、および前記通信周波数で通信データの受信を制御する受信装置である。【００１５】
本開示の第２の側面の受信方法は、受信装置の構成に対応する。【００１６】
本開示の第２の側面においては、複数の送信装置の個体識別情報と、前記送信装置と自らとで共有している通信間隔情報とに基づいた、通信時刻、および通信周波数で通信データの受信が制御され、特定の通信において、前記複数の前記送信装置を複数のグループに分割したとき、前記送信装置が属するグループに設定されるグループ識別情報と、前記送信装置と自らとで共有している通信間隔情報とに基づいた、前記通信時刻、および前記通信周波数で通信データの受信が制御される。
【図面の簡単な説明】
【００１７】
【図１】LPWA通信を用いた片方向通信システムの概要を説明する図である。
【図２】本開示の通信システムの概要を説明する図である。
【図３】図２の通信システムにおいて複数の送信装置をグループ化してグループ単位の特別IDを用いた通信を説明する図である。
【図４】送信装置のハードウェア構成例を説明するハードウェア構成図である。
【図５】中継器のハードウェア構成例を説明するハードウェア構成図である。
【図６】図４の送信装置により実現される機能を説明する機能ブロック図である。
【図７】送信データのフォーマットを説明する図である。
【図８】図６の特別ID決定部の構成例を説明する機能ブロック図である。
【図９】図５の中継器により実現される機能を説明する機能ブロック図である。
【図１０】送信装置による送信処理を説明するフローチャートである。
【図１１】中継器による中継処理を説明するフローチャートである。
【図１２】汎用のパーソナルコンピュータの構成例を説明する図である。
【発明を実施するための形態】
【００１８】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１９】
以下、本技術を実施するための形態について説明する。説明は以下の順序で行う。
１．LPWA通信を用いた片方向通信システムの概要
２．本開示の概要
３．送信装置のハードウェア構成例
４．中継器のハードウェア構成例
５．送信装置により実現される機能の構成例
６．中継器により実現される機能の構成例
７．送信装置による送信処理
８．中継器による中継処理
９．ソフトウェアにより実行させる例
【００２０】
＜＜１．LPWA通信を用いた片方向通信システムの概要＞＞
図１を参照して、LPWA（Low Power Wide Area）通信を用いた片方向通信システムの概要について説明する。
【００２１】
図１のLPWA通信を用いた通信システム１１は、送信装置３１−１乃至３１−ｑ、受信装置３２−１乃至３２−ｍ、およびサーバ３３より構成される。
【００２２】
尚、送信装置３１−１乃至３１−ｑ、および受信装置３２−１乃至３２−ｍは、それぞれを特に区別する必要がない場合、単に送信装置３１、および受信装置３２と称するものとし、その他の構成についても同様に称する。
【００２３】
送信装置３１は、様々な環境に設けられる各種の図示せぬセンサと共に配置される、または、所定のユーザ等に所持されるものであり、それぞれの環境において、図示せぬセンサにより検出されたセンサデータを取得して、受信装置３２を介してサーバ３３に送信する。
【００２４】
受信装置３２は、サーバ３３により動作が制御され、送信装置３１より送信されるセンサデータを受信し、サーバ３３に送信する。
【００２５】
サーバ３３は、受信装置３２の動作を制御するとともに、受信装置３２を介して送信装置３１より送信されてくるセンサデータを受信し、受信したセンサデータに応じて各種のアプリケーションプログラムを実行させる。
【００２６】
送信装置３１と受信装置３２とは、LPWA通信によりセンサデータが送信される。LPWA通信においては、送信装置３１から受信装置３２に対して、センサデータが一方向に送信される。
【００２７】
より詳細には、複数の送信装置３１は、例えば、個々に自らを識別する識別子などを用いた所定の演算により、センサデータを送信する送信時刻、および送信周波数を求め、求められた送信時刻、および送信周波数で受信装置３２に向けてセンサデータを送信する。
【００２８】
受信装置３２は、サーバ３３より予めセンサデータを受信することが想定される送信装置３１毎の識別子を取得する。受信装置３２は、取得した識別子に基づいて、送信装置３１における演算と同様の演算により、送信装置３１毎のセンサデータが送信されてくる送信時刻、および送信周波数を演算する。そして、受信装置３２は、演算した送信時刻、および送信周波数で送信されてくるセンサデータを受信する。
【００２９】
このように、送信装置３１および受信装置３２は、送信装置３１の識別子に基づいて演算される送信時刻、および送信周波数でセンサデータを送受信する。
【００３０】
結果として、送信装置３１は、センサデータを受信装置３２に対して一方向に送信するのみでよいため、低消費電力での通信を実現することができる。
【００３１】
ところで、図１で示されるように、送信装置３１−ｐ，３１−ｑと受信装置３２−２との間に通信を妨げる、例えば、山間部などからなる障害物３４が存在するような場合、送信装置３１−ｐ，３１−ｑと受信装置３２−２との通信は不能な状態となる。
【００３２】
＜＜２．本開示の概要＞＞
そこで、本開示の通信システムおいては、図２で示されるように、送信装置１３１と受信装置１３２との間に中継器１４１を構成し、中継器１４１を介して送信装置１３１および受信装置１３２が送受信する構成とする。
【００３３】
より詳細には、図２の通信システム１０１は、送信装置１３１乃至１３１−ｑ、受信装置１３２−１乃至１３２−ｍ、サーバ１３３、および中継器１４１−１，１４１−２を備えている。
【００３４】
尚、送信装置１３１、受信装置１３２、およびサーバ１３３のそれぞれの基本的な機能は、図１の送信装置３１、受信装置３２、およびサーバ３３と同様である。
【００３５】
中継器１４１は、送信装置１３１より送信されてくるペイロードにセンサデータを含む送信データを受信して、受信装置１３２に対して送信する。
【００３６】
尚、図２においては、送信装置１３１からの送信データは、全て中継器１４１が中継して受信装置１３２に送信するように表現されているが、送信装置１３１からの信号が、中継器１４１よりも受信装置１３２において受信し易い環境においては、受信装置１３２が直接受信するようにしてもよい。
【００３７】
また、ここで、送信装置１３１は、例えば、緊急事態の発生を通知するための警報ブザーのような構成である。より詳細には、警報ブザーとしての送信装置１３１は、緊急時に操作される操作部を備えており、操作部が操作されると、内蔵されるGPS部により現在位置の情報を取得し、緊急事態の発生を知らせる情報と共に、中継器１４１を介して受信装置１３２に送信する。
【００３８】
受信装置１３２は、位置情報を含む緊急事態の発生を知らせる情報を取得するとサーバ１３３に出力する。
【００３９】
サーバ１３３は、受信装置１３２から緊急事態の発生を知らせる情報に基づいて、警察や警備会社に対して位置情報と共に通報する。
【００４０】
すなわち、本開示の通信システム１０１は、全体として防犯システムを想定している。
【００４１】
また、中継器１４１は、山間部などの障害物３４による通信の障害を回避可能な空間に設けられるものであり、一般の受信装置１３２のように商用電力を用いた大型の構成ではなく、例えば、山間部における山頂部などの太陽電池などの自然エネルギーやバッテリなどの小容量の電力により可動するものとなる。
【００４２】
このため、中継器１４１は、受信装置１３２の構成よりもより小型で低消費電力である必要がある。
【００４３】
上述したように、LPWA通信においては、送信装置１３１の個数が増大すると、受信側の装置において、送信装置１３１の個数分だけ送信時間、および送信周波数などを変化させて、様々な送信装置１３１からの送信信号の受信に備える必要が生じ、受信に係る処理負荷と処理時間が増大する。
【００４４】
結果として、送信装置１３１の個数が増大すると、受信側における処理負荷や処理時間の増大により、消費電力が増大することになる。
【００４５】
しかしながら、本開示の通信システム１０１は、全体として防犯システムを想定している。
【００４６】
このため、小型で低消費電力の中継器１４１を用いることで、カバーエリアを、山間部を含めた広範なものとする必要がある。
【００４７】
上述したように、送信装置１３１の個別の送信時間、および送信周波数のパターンは、送信装置１３１を識別する識別子を用いて設定されるものであるので、送信装置１３１の個数が増大しても、変化させるべき送信時間、および送信周波数のパターン数が増大しなければ、受信側の装置における処理負荷や処理時間は抑制させることができる。
【００４８】
そこで、本開示においては、図３で示されるように、送信装置１３１を複数のグループに分けて、グループ毎に識別子を設定し、グループ単位の識別子を用いて、送信時間、および送信周波数を設定することで、受信側の処理負荷や処理時間を低減させる。
【００４９】
ここで、同一グループ内において、同時に、複数の送信装置１３１からの送信処理が発生し、衝突を起す恐れがあるため、グループ単位の識別子は、１つのグループに対して複数に設定されるようにしてもよい。ただし、同一グループ内の複数の送信装置１３１において、同時に送信処理が発生し、衝突を起す確率は非常に低いので、グループを構成する送信装置１３１の数に対して十分に少ない数の複数の識別子が設定されればよい。また、グループを構成する送信装置１３１の数がそれほど多くない場合については、衝突の可能性は低いので、グループ単位の識別子は１個であってもよい。
【００５０】
また、送信データのヘッダは、通常は、個別の送信装置１３１の識別子が格納されるため、どの送信装置１３１が送信したものであるのかを識別することができる。
【００５１】
しかしながら、グループ毎の識別子を用いた場合、送信装置１３１の個別の識別子に代えて、グループ毎の識別子が格納されることになるので、送信データを送信してきた送信装置１３１が属するグループは特定できるが、どの送信装置１３１であるのかを特定することができなくなる。
【００５２】
そこで、本開示においては、グループ毎の識別子をヘッダに格納する場合には、ペイロードの一部に送信装置１３１の識別子を格納させることにより、送信データの送信元となる送信装置１３１を特定できるようにする。
【００５３】
すなわち、図３においては、例えば、送信装置１３１の識別子がID＝１乃至ID＝ａまでの送信装置１３１−１乃至１３１−ａをグループＧＡに設定し、グループ毎の識別子を特別ID＝Ａ，Ｂ，Ｃ，Ｄに設定する。
【００５４】
また、送信装置１３１の識別子がID＝ｂ乃至ID＝ｇまでの送信装置１３１−ｂ乃至１３１−ｇをグループＧＢに設定し、グループ毎の識別子を特別ID＝Ｅ，Ｆに設定する。
【００５５】
さらに、送信装置１３１の識別子がID＝ｈ乃至ID＝ｎまでの送信装置１３１−ｈ乃至１３１−ｎをグループＧＣに設定し、グループ毎の識別子を特別ID＝Ｃに設定する。
【００５６】
送信装置１３１を個別の識別子で管理した場合、ID＝１乃至nのn種類の送信時刻と送信周波数のパターンを切り換えて受信処理を管理する必要があった。
【００５７】
しかしながら、図３の中継器１４１においては、特別ID＝Ａ，Ｂ，Ｃの３種類の送信時間、および送信周波数のパターンを設定し、切り換えて受信処理を行うのみでよくなるため、受信処理に係る処理負荷や処理時間を低減させることが可能となる。
【００５８】
例えば、数千台程度の送信装置１３１が存在するような場合、例えば、８グループ程度に分割すると、中継器１４１における受信処理に係る処理負荷や処理時間は数百分の１程度となる。
【００５９】
結果として、中継器１４１は、低電力化を実現することが可能となり、例えば、太陽光発電システムやバッテリなどの小容量の電力利用することで、商用電力の供給が受けられない環境においても中継器としての機能を実現することが可能となる。
【００６０】
また、グループ毎の識別子を用いる場合には、送信データのペイロードに個別の識別子を格納することで、送信元となる送信装置１３１を特定することが可能とされている。
【００６１】
＜＜３．送信装置のハードウェア構成例＞＞
次に、図４を参照して、送信装置１３１のハードウェア構成例について説明する。
【００６２】
送信装置１３１は、制御部１５１、GPS１５２、操作部１５３、通信部１５４、記憶部１５５、ドライブ１５６、リムーバブル記憶部１５７、およびバス１５８より構成されている。
【００６３】
制御部１５１、GPS１５２、操作部１５３、通信部１５４、記憶部１５５、ドライブ１５６、およびリムーバブル記憶部１５７は、バス１５８を介して接続されており、相互にデータやプログラムに授受が可能な構成とされている。
【００６４】
制御部１５１は、プロセッサやメモリより構成されており、送信装置１３１の動作の全体を制御する。
【００６５】
また、制御部１５１は、緊急事態の発生を報知させる必要があるとき操作される操作部１５３が操作された場合、通信部GPS１５２により取得される位置情報に基づいて、送信データを生成する。そして、制御部１５１は、図３を参照して説明したようにグループを識別する識別子である特別IDに基づいて送信時刻と送信周波数を決定し、通信部１５４を制御して、送信データを送信する。
【００６６】
尚、本開示の送信装置１３１は、緊急事態の発生を報知させること目的とした、いわゆる警報ブザーとして機能させることを目的としたものであるが、緊急時以外の目的で送信データを送信することもできる。
【００６７】
以降においては、緊急事態の発生を目的とした送信を特別送信と称し、それ以外の送信を通常送信と称する。
【００６８】
GPS（Global Positioning System）１５２は、図示せぬ衛星からの信号を受信して、位置情報と共に時刻情報を取得して制御部１５１に出力する。
【００６９】
操作部１５３は、例えば、緊急時に引き出される紐やボタンなどにより構成され、操作に応じた信号を制御部１５１に出力する。すなわち、制御部１５１は、操作部１５３が操作されるとき、緊急事態が発生したことを認識し、このとき特別送信を行い、それ以外のときの送信は通常送信を行う。
【００７０】
通信部１５４は、制御部１５１により制御され、LPWA通信により、位置情報からなるセンサデータを含めた送信データを生成して、受信装置１３２または中継器１４１に送信する。
【００７１】
記憶部１５５は、HDD（Hard Disk Drive）、SSD（Solid State Drive）、または、半導体メモリなどからなり、制御部１５１により制御され、各種のデータおよびプログラムを書き込む、または、読み出す。ここでは、送信装置１３１を識別する固有の識別子（LPWA_ID）を記憶している。
【００７２】
ドライブ１５６は、例えば、半導体メモリなどのリムーバブル記憶部１５７に対してデータを読み書きする。送信装置１３１の識別子は、リムーバブル記憶部１５７に記憶されるようにしてもよい。
【００７３】
＜＜４．中継器のハードウェア構成例＞＞
次に、図５を参照して、中継器１４１のハードウェア構成例について説明する。
【００７４】
中継器１４１は、制御部１７１、GPS１７２、操作部１７３、通信部１７４、記憶部１７５、ドライブ１７６、リムーバブル記憶部１７７、およびバス１７８より構成されている。制御部１７１、GPS１７２、操作部１７３、通信部１７４、記憶部１７５、ドライブ１７６、およびリムーバブル記憶部１７７は、バス１７８を介して接続されており、相互にデータやプログラムに授受が可能な構成とされている。
【００７５】
制御部１７１は、プロセッサやメモリより構成されており、中継器１４１の動作の全体を制御する。
【００７６】
また、制御部１７１は、予め送信データを送信してくる送信装置１３１の識別子（LPWA_ID）、および、送信装置１３１のグループの識別子（特別ID）を、受信装置１３２、またはサーバ１３３より取得している。
【００７７】
制御部１７１は、予め、LPWA_IDおよび特別IDのそれぞれについて、どの送信装置１３１、または、どの送信装置１３１のグループがどの時刻において、どの送信周波数で送信データを送信してくるのかについて、送信装置１３１における演算方式と同一の演算により求め、リスト化して記憶する。
【００７８】
制御部１７１は、記憶されたリストに基づいて、送信装置１３１、または、送信装置１３１のグループに対応付けられた受信時刻を特定すると共に、対応する送信周波数の情報を読み出す。
【００７９】
そして、制御部１７１は、受信時刻になると、通信部１７４を制御して、対応する送信周波数により送信されてくる送信データを受信させる。
【００８０】
さらに、制御部１７１は、通信部１７４を制御して、送信装置１３１より送信されてきた送信データを、一般的なLPWA通信によりサーバ１３３に送信させる。この場合、受信装置１３２は、LPWA通信における送信装置として機能する。
【００８１】
GPS（Global Positioning System）１７２は、図示せぬ衛星からの信号を受信して、位置情報と共に時刻情報を取得して制御部１７１に出力する。
【００８２】
操作部１７３は、例えば、キーボードや操作ボタンなどにより構成され、操作に応じた信号を制御部１７１に出力する。
【００８３】
通信部１７４は、制御部１７１により制御され、LPWA通信により、送信装置１３１より送信されてくる送信データを受信すると共に受信装置１３２に送信する。
【００８４】
記憶部１７５は、HDD（Hard Disk Drive）、SSD（Solid State Drive）、または、半導体メモリなどからなり、制御部１５１により制御され、各種のデータおよびプログラムを書き込む、または、読み出す。記憶部１７５は、送信データを送信してくる送信装置１３１を個別に識別する識別子（LPWA_ID）や送信装置１３１の属するグループを識別する識別子（特別ID）を記憶しており、また、識別子に基づいて、送信装置１３１において演算される方式と同一の方式で演算により算出された受信時刻、および送信周波数の情報が記憶されている。
【００８５】
ドライブ１７６は、例えば、半導体メモリなどのリムーバブル記憶部１７７に対してデータを読み書きする。
【００８６】
＜＜５．送信装置により実現される機能の構成例＞＞
次に、図６の機能ブロック図を参照して、送信装置１３１により実現される機能について説明する。現実には、送信装置１３１により実現される機能は、送信装置１３１における制御部１５１により実現される。
【００８７】
送信装置１３１は、通常送信パラメータ記憶部２０１、特別送信パラメータ記憶部２０２、送信パラメータ選択部２０３、送信時刻決定部２０４、選択部２０５、LPWA_ID記憶部２０６、特別ID決定部２０７、ID選択部２０８、および送信制御部２０９を備えている。
【００８８】
通常送信パラメータ記憶部２０１は、送信装置１３１が、通常送信における送信データを送信する際に使用される送信パラメータである通常送信パラメータを記憶している。
【００８９】
特別送信パラメータ記憶部２０２は、送信装置１３１が、緊急時となるタイミング、すなわち、ユーザにより操作部１５３が操作される際に使用される送信パラメータである特別送信パラメータを記憶している。
【００９０】
LPWA通信は、同一の送信データが規定間隔（スロット期間）内の所定のタイミング（フレーム遅延時間）でチャンネルを切り換えながら複数回連続して送受信される処理が、所定の間隔（バーストインターバル）で繰り返される。
【００９１】
送信パラメータとは、このLPWA通信における、規定期間（スロット期間）、規定期間内における所定のタイミング（フレーム遅延時間）、および、切り替えるチャンネルを規定するものである。
【００９２】
選択部２０５は、操作部１５３の操作の有無に応じて、緊急事態になったことを示す選択信号を送信パラメータ選択部２０３、およびID選択部２０８に出力する。
【００９３】
送信パラメータ選択部２０３は、選択部２０５より供給される選択信号が供給されない場合、すなわち、通常送信の場合、通常送信パラメータ記憶部２０１に記憶されている通常送信パラメータを読み出して送信時刻決定部２０４に出力する。
【００９４】
また、送信パラメータ選択部２０３は、選択部２０５より供給される選択信号が供給された場合、すなわち、緊急事態であり特別送信の場合、特別送信パラメータ記憶部２０２に記憶されている特別送信パラメータを選択して送信時刻決定部２０４に供給する。
【００９５】
送信時刻決定部２０４は、送信パラメータ選択部２０３により選択された通常送信パラメータ、または、特別送信パラメータと、GPS１５２により取得される現在時刻の情報とに基づいて送信時刻を決定し、特別ID決定部２０７、および送信制御部２０９に出力する。この際、送信時刻決定部２０４は、LPWA通信において送信時刻を決定する際に用いられる演算により送信時刻を決定する。
【００９６】
LPWA_ID記憶部２０６は、送信装置１３１に固有の識別子であるLPWA_IDを記憶しており、特別ID決定部２０７、ID選択部２０８、および送信制御部２０９に供給する。尚、LPWA_ID記憶部２０６は、記憶部１５５に対応する構成である。
【００９７】
特別ID決定部２０７は、送信時刻決定部２０４より供給される送信時刻と、LPWA_ID記憶部２０６に記憶されているLPWA_IDとから、送信装置１３１を所定のグループ数に設定したときの、送信装置１３１が属するグループの識別子である特別IDを算出し、ID選択部２０８に出力する。尚、特別ID決定部２０７の詳細な構成については、図８を参照して詳細を後述する。
【００９８】
ID選択部２０８は、選択部２０５より供給される緊急事態になったことを示す選択信号が供給されない場合、LPWA_ID記憶部２０６に記憶されているLPWA_IDを選択してModulationIDとして送信制御部２０９に出力する。
【００９９】
また、ID選択部２０８は、選択部２０５より供給される緊急事態になったことを示す選択信号が供給された場合、特別ID決定部２０７により決定された特別IDを選択してModulationIDとして送信制御部２０９に出力する。
【０１００】
送信制御部２０９は、送信時刻の情報、およびModulationIDに基づいて、通信部１５４を制御してGPS１５２により取得された位置情報をペイロードに格納して中継器１４１または受信装置１３２に送信する。
【０１０１】
この際、ModulationIDが特別IDである場合には、送信制御部２０９は、図７の上段で示されるようなフォーマットからなる送信データを生成して、通信部１５４より送信させる。
【０１０２】
すなわち、送信制御部２０９は、32bitのヘッダ部に特別IDからなるModulationIDを格納し、さらに、128bitのペイロードのうち、40bitに特別IDを格納すると共に、残りの88bitを用いてGPS１５２により取得された位置情報を格納し、更に、24bitのCRC部を付与して、送信データを生成する。
【０１０３】
また、ModulationIDがLPWA_IDである場合には、送信制御部２０９は、図７の下段で示されるようなフォーマットからなる送信データを生成して、通信部１５４より送信させる。
【０１０４】
すなわち、送信制御部２０９は、32bitのヘッダ部にLPWA_IDを格納し、さらに、128bitのペイロードにGPS１５２により取得された位置情報を格納し、更に、24bitのCRC部を付与して、送信データを生成する。
【０１０５】
＜特別ID決定部の構成例＞
ここで、図８を参照して、特別ID決定部２０７の構成例について説明する。
【０１０６】
特別ID決定部２０７は、LFSR２２１，２２２、およびPRN２２３を備えている。
【０１０７】
LFSR（Linear Feedback Shift Register）２２１，２２２は、それぞれLPWA_ID、および送信時刻を初期値として、特別IDとして設定する所定の個数に応じた、ビット数のLFSR多項式を演算し、演算結果をPRN（擬似乱数生成部）２２３に出力する。
【０１０８】
擬似乱数生成部２２３は、LFSR２２１，２２２の演算結果に基づいて、擬似乱数（PRN）を生成することで、所定の個数の特別IDのインデックスとなる値を生成する。
【０１０９】
すなわち、特別ID決定部２０７は、LPWA_ID、時刻情報、および自らが属するグループに設定される特別IDの個数の情報に基づいて、所定個数の特別IDのいずれかを特定するインデックスを出力する。従って、ID選択部２０８は、特別IDを選択する場合、特別ID決定部２０７より供給されるインデックスに基づいて、予めインデックスと対応付けて設定されている特別IDを選択する。
【０１１０】
ここで、時刻情報は、例えば、複数の送信装置１３１により特別送信がなされるとき、異なる特別IDが設定されるようにするためのパラメータであればよく、例えば、前回の送信完了時刻や、操作部１５３が操作された時刻でよい。また、１つのグループに設定される特別IDの個数は、例えば、ビット単位で指定され、３ビットの場合、8（＝23）個のように指定される。
【０１１１】
この場合、LPWA_IDと時刻情報との情報に基づいて、送信装置１３１は、１グループに８個の特別IDを割り付ける。
【０１１２】
従って、１グループに属する送信装置１３１のうち、8個以上の送信装置１３１が同時に特別送信する場合、特別IDの衝突が発生することになる。このため、１グループに設定される特別IDの個数は、１グループに設定される送信装置１３１のうち、同時に特別送信する送信装置１３１が発生し得る確立等に応じて設定される必要があり、同時に必要とされる可能性のある最大値がカバーされる個数に設定されればよい。
【０１１３】
以上のような構成により、送信装置１３１は、緊急事態が発生するような場合において、特別IDをヘッダに付与し、ペイロードにLPWA_IDと位置情報を格納したフォーマットの送信データを生成して中継器１４１に送信する。
【０１１４】
＜＜６．中継器により実現される機能の構成例＞＞
次に、図９の機能ブロック図を参照して、中継器１４１により実現される機能について説明する。現実には、中継器１４１により実現される機能は、中継器１４１における制御部１７１により実現される。
【０１１５】
中継器１４１は、受信時刻リスト記憶部２４１、時刻情報取得部２４２、受信制御部２４３、特別ID処理部２４４、および送信制御部２４５を備えている。
【０１１６】
受信時刻リスト記憶部２４１は、送信データが送信されてくる可能性のある全ての送信装置１３１の特別IDやLPWA_ID毎に割り付けられた送信装置１３１からの送信データを受信する受信時刻リストの情報を記憶している。
【０１１７】
尚、受信時刻については、送信装置１３１と中継器１４１や受信装置１３２により共有されている送信パラメータ、および送信装置１３１の特別IDやLPWA_IDに基づいて、求めることが可能である。
【０１１８】
そこで、中継器１４１は、送信データが送信されてくる可能性のある送信装置１３１の特別IDやLPWA_IDを取得したタイミングで、受信時刻を算出し、受信時刻リスト記憶部２４１に記憶させるようにしてもよい。
【０１１９】
送信データが送信されてくる可能性のある送信装置１３１の特別IDやLPWA_IDは、製造時に記憶部１７５に記憶させるようにしてもよいし、所定のタイミングで受信装置１３２を介してサーバ１３３から供給されるようにしてもよい。
【０１２０】
さらに、送信装置１３１が、共有されている送信パラメータにより特定の決まったタイミングで、LPWA_IDを送信する。そして、中継器１４１が、送信データが送信されてくる可能性のある送信装置１３１の識別子として、このLPWA_IDを取得して、受信時刻や送信周波数を演算により求めて受信時刻リスト記憶部２４１に登録するようにしてもよい。
【０１２１】
また、中継器１４１は、送信装置１３１の特別IDやLPWA_IDに基づいて、受信時刻に応じて送信周波数を変更させる処理を繰り返すため、対象となる送信装置１３１の数が多くなると、すなわち、特別IDやLPWA_IDの数が多くなると受信時刻に応じた送信周波数の変更を頻繁に繰り返す必要が生じるため処理負荷が増大する。
【０１２２】
そこで、太陽電池やバッテリなど、小容量の電力により稼働する中継器１４１については、通信対象を特別IDのみとすることで、受信時刻に応じた送信周波数の変更の頻度を低減させることで処理負荷を低減させることが可能となり、中継器１４１の装置の小型化、軽量化、および低消費電力化を実現させることができる。
【０１２３】
時刻情報取得部２４２は、GPS１７２から供給される現在の時刻情報を取得して受信制御部２４３および送信制御部２４５に供給する。
【０１２４】
受信制御部２４３は、受信時刻リスト記憶部２４１に記憶されている受信時刻の情報と、時刻情報取得部２４２より供給されてくる現在の時刻情報とに基づいて、いずれかの送信装置１３１から送信されてくる送信データの受信時刻であるか否かを判定する。
【０１２５】
そして、受信制御部２４３は、受信時刻になると、特別IDやLPWA_IDに対応するModulationIDに応じて通信部１７４を制御して、送信データを受信させ、特別ID処理部２４４に供給させる。
【０１２６】
特別ID処理部２４４は、受信された送信データのヘッダに含まれるModulationIDが通常のLPWA_IDであるのか、特別IDであるのかを判定し、特別IDである場合、すなわち、特別送信である場合、ペイロードに格納されているLPWA_IDおよび位置情報を抽出する。そして、特別ID処理部２４４は、抽出したLPWA_IDをヘッダに格納し、位置情報をペイロードに格納したフォーマットの、中継器１４１の送信データを生成して送信制御部２４５に出力する。
【０１２７】
また、特別ID処理部２４４は、送信データのヘッダに含まれるModulationIDが通常のLPWA_IDである場合、つまり、通常送信である場合、受信した送信データをそのまま、中継器１４１の送信データとして送信制御部２４５に出力する。
【０１２８】
送信制御部２４５は、通信部１７４を制御して、通常のLPWA通信により、中継器１４１の送信データとして、送信装置１３１より送信されてきた送信データを中継して受信装置１３２に送信する。
【０１２９】
＜＜７．送信装置による送信処理＞＞
次に、図１０のフローチャートを参照して、送信装置１３１による送信処理について説明する。
【０１３０】
ステップＳ１１において、選択部２０５は、操作部１５３の操作状態を認識し、何らかのトリガが入ったか否かを判定し、トリガが入るまで同様の処理を繰り返す。
【０１３１】
ここでいうトリガとは、例えば、緊急事態が発生したことを示す操作や、緊急事態ではなく、通常の操作として、ユーザが自発的に位置情報を送信するような操作をしたか否かを示すものである。
【０１３２】
従って、何らかの操作がなされるまで、ステップＳ１１の処理が繰り返される。
【０１３３】
ステップＳ１１において、トリガが入ったとみなされた場合、処理は、ステップＳ１２に進む。
【０１３４】
ステップＳ１２において、選択部２０５は、緊急事態が発生したことを示すトリガであり、特別送信であるか否かを判定する。ステップＳ１２において、特別送信である場合、処理は、ステップＳ１３に進む。
【０１３５】
ステップＳ１３において、選択部２０５は、送信パラメータ選択部２０３、およびID選択部２０８に対して特別送信であることを示す情報を通知する。これに応じて、送信パラメータ選択部２０３は、特別送信パラメータ記憶部２０２に記憶されている特別送信パラメータを読み出し送信時刻決定部２０４に出力する。
【０１３６】
ステップＳ１４において、送信時刻決定部２０４は、GPS１５２により取得される現在時刻の情報と、特別送信パラメータとに基づいて、LPWA通信における演算方式で送信時刻を算出し、特別ID決定部２０７および送信制御部２０９に出力する。
【０１３７】
ステップＳ１５において、特別ID決定部２０７は、前回の送信完了時刻、または、操作部１５３が操作された時刻情報等の時刻情報、LPWA_ID記憶部２０６のLPWA_ID、および特別IDの個数に基づいて、特別IDを決定し、ID選択部２０８に出力する。
【０１３８】
ステップＳ１６において、ID選択部２０８は、特別ID決定部２０７により決定された特別IDを取得し、ModulationIDとして送信制御部２０９に出力する。
【０１３９】
ステップＳ１７において、送信制御部２０９は、特別IDからなるModulationIDをヘッダとし、LPWA_ID記憶部２０６に記憶されているLPWA_IDをペイロードに格納して送信データを生成する。
【０１４０】
ステップＳ１８において、送信制御部２０９は、GPS１５２より位置情報を取得して、LPWA_IDと共にペイロードに格納して送信データを完成させる。
【０１４１】
ステップＳ１９において、送信制御部２０９は、GPS１５２より時刻情報を取得して送信時刻になったか否かを判定し、送信時刻になるまで同様の処理を繰り返す。そして、ステップＳ１９において、送信時刻になった場合、処理は、ステップＳ２０に進む。
【０１４２】
ステップＳ２０において、送信制御部２０９は、通信部１５４を制御して、ModulationIDに対応する送信周波数で、送信データを中継器１４１、または、受信装置１３２に送信する。
【０１４３】
ステップＳ２１において、送信処理の終了が指示されたか否かが判定され、終了が指示されていないと判定された場合、処理は、ステップＳ１１に戻り、それ以降の処理が繰り返される。また、ステップＳ２１において、終了が指示されたと判定された場合、処理は終了する。
【０１４４】
また、ステップＳ１２において、特別送信ではなく、通常送信であるとみなされた場合、処理は、ステップＳ２２に進む。
【０１４５】
ステップＳ２２において、送信パラメータ選択部２０３は、通常送信パラメータ記憶部２０１に記憶されている通常送信パラメータを読み出して、送信時刻決定部２０４に出力する。
【０１４６】
ステップＳ２３において、送信時刻決定部２０４は、GPS１５２により取得される現在時刻の情報と、通常送信パラメータとに基づいて、LPWA通信における演算方式で送信時刻を算出し、通常送信パラメータと共に送信制御部２０９に出力する。
【０１４７】
ステップＳ２４において、送信制御部２０９は、LPWA_ID記憶部２０６に記憶されているLPWA_IDを取得する。
【０１４８】
ステップＳ２５において、送信制御部２０９は、LPWA_IDをヘッダにしたフォーマットの送信データを生成する。
【０１４９】
そして、以降のステップＳ１８乃至Ｓ２０の処理により、LPWA_IDをヘッダにし、ペイロードに位置情報が格納されたフォーマットの送信データが、LPWA_IDからなるModulationIDに対応する送信周波数で送信される。
【０１５０】
以上の処理により、緊急事態の発生を通知するような特別送信においては、特別IDがModulationIDに設定されてヘッダに格納され、さらにペイロードに送信装置１３１固有のLPWA_IDとセンシングデータである位置情報が格納された送信データを送信することが可能となる。
【０１５１】
＜＜８．中継器による中継処理＞＞
次に、図１１のフローチャートを参照して、中継器１４１による中継処理について説明する。
【０１５２】
ステップＳ４１において、受信制御部２４３は、時刻情報取得部２４２より供給される現在時刻の情報に基づいて、受信時刻リスト記憶部２４１に記憶されている受信時刻の情報を検索し、受信時刻になったか否かを判定し、受信時刻になるまで、同様の処理が繰り返される。
【０１５３】
ステップＳ４１において、受信時刻になったとみなされた場合、処理は、ステップＳ４２に進む。
【０１５４】
ステップＳ４２において、受信制御部２４３は、受信時刻リスト記憶部２４１において、受信時刻と対応付けて記録されている特別ID、またはLPWA_IDからなるModulationIDに基づいて、通信部１７４の受信周波数を制御して、送信されてくる送信データを受信させ、特別ID処理部２４４に出力させる。
【０１５５】
ステップＳ４３において、特別ID処理部２４４は、受信した送信データにおけるヘッダに格納されているModulationIDに基づいて、特別IDであるか否か、すなわち、特別送信であるか否かを判定する。特別IDである場合、すなわち、特別送信である場合、処理は、ステップＳ４４に進む。
【０１５６】
ステップＳ４４において、特別ID処理部２４４は、受信した送信データのペイロードよりLPWA_IDを読み出す。
【０１５７】
ステップＳ４５において、特別ID処理部２４４は、読み出したLPDA_IDをヘッダとし、ペイロードに送信されてきた位置情報を格納した、通常のLPDA通信におけるフォーマットの中継器１４１の送信データを生成し、送信制御部２４５に出力する。
【０１５８】
ステップＳ４６において、送信制御部２４５は、時刻情報取得部２４２より供給される現在の時刻情報に基づいて、受信装置１３２への通常のLPWA通信における送信時刻となったか否かを判定し、送信時刻になるまで、同様の処理が繰り返される。
【０１５９】
そして、ステップＳ４６において、送信時刻になったと判定された場合、処理は、ステップＳ４７に進む。
【０１６０】
ステップＳ４７において、送信制御部２４５は、送信データのヘッダとなるLPWA_IDからなるModulationIDに基づいて、通信部１７４を制御して、通常のLPWA通信により受信装置１３２に送信データを送信する。
【０１６１】
ステップＳ４８において、中継処理の終了が指示されたか否かが判定されて、終了が指示されていないと判定された場合、処理は、ステップＳ４１に戻り、それ以降の処理が繰り返される。また、ステップＳ４８において、終了が指示された場合、処理は終了する。
【０１６２】
また、ステップＳ４３において、ヘッダが特別IDではない場合、すなわち、LPWA_IDからなるヘッダであり、通常送信である場合、処理は、ステップＳ４９に進む。
【０１６３】
ステップＳ４９において、特別ID処理部２４４は、受信した送信装置１３１から送信されてきた送信データを、そのまま中継器１４１の送信データとし、処理は、ステップＳ４６に進む。そして、ステップＳ４６乃至Ｓ４８の処理により、送信データは、通常のLPWA通信により受信装置１３２に送信される。この一連の処理により、送信装置１３１から送信されてきた送信データが、中継器１４１により中継されて、受信装置１３２に送信される。
【０１６４】
尚、以上においては、中継器１４１における中継処理について説明してきたが、受信装置１３２においても同様の処理により送信データを受信することができる。
【０１６５】
受信装置１３２においては、ヘッダに格納されているModulationIDが特別IDであるとき、すなわち、特別送信であるときには、ペイロードに格納されたLPWA_IDが読み出されて、通常送信で受信される送信データと同様に位置情報と対応付けてサーバ１３３に出力される。
【０１６６】
以上の処理により、大量の送信装置１３１を対象とする中継器１４１であっても、僅かな数の特別IDのみを通信対象とすることで、通信としては、複数の送信装置１３１からなるグループ用として割り当てられた僅かな種類の送信周波数の切り替え処理をするだけでよくなる。
【０１６７】
これにより、中継器１４１における受信処理に係る処理負荷を低減させることができるので、受信設備の小型化、軽量化、および低消費電力化を実現することが可能となる。
【０１６８】
また、特別IDは、送信時刻に基づいて、ランダムに選択されることになるので、衝突の発生を抑制し、アプリケーションに応じた最大同時通信数を選択することが可能となる。
【０１６９】
さらに、LPWA通信においては、送信装置１３１における送信時間の範囲を指定することができるので、複数のグループIDである特別IDが近接する送信時間範囲となるように指定できる。
【０１７０】
このため、ほぼ同時に複数の送信装置１３１から特別送信が発生するような状況になったも、中継器１４１側での中継処理の時間が大きく伸びることがなくなる。
【０１７１】
いずれにおいても、結果として、商用電源が確保できないような場所であっても、太陽電池やバッテリ等の小容量の電力による中継器を実現させることが可能となる。
【０１７２】
＜＜９．ソフトウェアにより実行させる例＞＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のコンピュータなどに、記録媒体からインストールされる。
【０１７３】
図１２は、汎用のコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１７４】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブル記憶媒体１０１１に対してデータを読み書きするドライブ１０１０が接続されている。
【０１７５】
CPU１００１は、ROM１００２に記憶されているプログラム、または磁気ディスク、光ディスク、光磁気ディスク、もしくは半導体メモリ等のリムーバブル記憶媒体１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１７６】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１７７】
コンピュータ（CPU１００１）が実行するプログラムは、例えば、パッケージメディア等としてのリムーバブル記憶媒体１０１１に記録して提供することができる。また、プログラムは、ローカルエリアネットワーク、インターネット、デジタル衛星放送といった、有線または無線の伝送媒体を介して提供することができる。
【０１７８】
コンピュータでは、プログラムは、リムーバブル記憶媒体１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１７９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８０】
尚、図１２におけるCPU１００１が、図４の制御部１５１および図５の制御部１７１の機能を実現させる。
【０１８１】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１８２】
なお、本開示の実施の形態は、上述した実施の形態に限定されるものではなく、本開示の要旨を逸脱しない範囲において種々の変更が可能である。
【０１８３】
例えば、本開示は、１つの機能をネットワークを介して複数の装置で分担、共同して処理するクラウドコンピューティングの構成をとることができる。
【０１８４】
また、上述のフローチャートで説明した各ステップは、１つの装置で実行する他、複数の装置で分担して実行することができる。
【０１８５】
さらに、１つのステップに複数の処理が含まれる場合には、その１つのステップに含まれる複数の処理は、１つの装置で実行する他、複数の装置で分担して実行することができる。
【０１８６】
尚、本開示は、以下のような構成も取ることができる。
【０１８７】
＜１＞  自らの個体識別情報と、前記自らと受信装置とで共有している通信間隔情報とに基づいた、通信時刻、および通信周波数で通信データの前記受信装置への送信を制御する送信制御部を備え、
前記送信制御部は、特定の通信において、前記自らを含めた複数の送信装置を複数のグループに分割したとき、前記自らが属するグループに設定されるグループ識別情報と、前記自らと前記受信装置とで共有している通信間隔情報とに基づいた、前記通信時刻、および前記通信周波数で通信データの前記受信装置への送信を制御する
送信装置。
＜２＞  前記送信制御部は、前記特定の通信において、ペイロードに前記自らの個体識別情報を格納させた前記通信データを生成し、前記受信装置への送信を制御する
＜１＞に記載の送信装置。
＜３＞前記個体識別情報、時刻情報、および自らのグループに設定される前記グループ識別情報の個数に基づいて、前記グループ識別情報を決定するグループ識別情報決定部をさらに含む
＜１＞または＜２＞に記載の送信装置。
＜４＞  グループ識別情報決定部は、前記個体識別情報、および前記時刻情報を初期値としてLFSR（Linear Feedback Shift Register）を用いたときの、前記グループ識別情報の個数に対応するビット数の擬似乱数を用いて、前記グループ識別情報を決定する
＜３＞に記載の送信装置。
＜５＞  緊急事態が発生したときに操作される操作部をさらに含み、
前記時刻情報は、前回の前記特定の通信が完了した時刻、または、前記操作部が操作された時刻を含む
＜３＞に記載の送信装置。
＜６＞  前記操作部が操作されたとき、前記送信制御部は、前記特定の通信により、前記通信データを前記受信装置に送信する
＜５＞に記載の送信装置。
＜７＞  前記通信間隔情報と現在時刻情報に基づいて前記通信時刻を決定する通信時刻決定部をさらに含む
＜１＞乃至＜６＞のいずれかに記載の送信装置。
＜８＞  現在時刻情報は、GPS（Global Positioning System）装置により取得される時刻情報である
＜７＞に記載の送信装置。
＜９＞  前記通信データのペイロードには、前記GPS（Global Positioning System）装置により取得される位置情報が格納される
＜８＞に記載の送信装置。
＜１０＞  自らの個体識別情報と、前記自らと受信装置とで共有している通信間隔情報とに基づいた、通信時刻、および通信周波数で通信データの前記受信装置への送信を制御する送信制御部を備えた送信装置の送信方法であって、
前記送信制御部が、特定の通信において、前記自らを含めた複数の送信装置を複数のグループに分割したとき、前記自らが属するグループに設定されるグループ識別情報と、前記自らと前記受信装置とで共有している通信間隔情報とに基づいた、前記通信時刻、および前記通信周波数で通信データの前記受信装置への送信を制御する
送信方法。
＜１１＞  複数の送信装置の個体識別情報と、前記送信装置と自らとで共有している通信間隔情報とに基づいた、通信時刻、および通信周波数で通信データの受信を制御する受信制御部を備え、
前記受信制御部は、特定の通信において、前記複数の前記送信装置を複数のグループに分割したとき、前記送信装置が属するグループに設定されるグループ識別情報と、前記送信装置と自らとで共有している通信間隔情報とに基づいた、前記通信時刻、および前記通信周波数で通信データの受信を制御する
受信装置。
＜１２＞  前記受信制御部は、受信した前記通信データのペイロードに前記グループ識別情報が格納されているとき、前記特定の通信として、前記通信データの受信を制御する
＜１１＞に記載の受信装置。
＜１３＞  前記グループ識別情報は、前記通信データを送信してきた前記送信装置の個体識別情報、時刻情報、および自らのグループに設定される前記グループ識別情報の個数に基づいて決定される
＜１１＞または＜１２＞に記載の受信装置。
＜１４＞  前記グループ識別情報は、前記個体識別情報、および前記時刻情報を初期値としてLFSR（Linear Feedback Shift Register）を用いたときの、前記グループ識別情報の個数に対応するビット数の擬似乱数を用いて決定される
＜１３＞に記載の受信装置。
＜１５＞  前記通信時刻は、前記通信間隔情報と現在時刻情報に基づいて決定される
＜１１＞乃至＜１４＞のいずれかに記載の受信装置。
＜１６＞  前記現在時刻情報は、GPS（Global Positioning System）装置により取得される時刻情報である
＜１５＞に記載の受信装置。
＜１７＞  前記通信データのペイロードには、前記送信装置のGPS（Global Positioning System）装置により取得される位置情報が格納される
＜１６＞に記載の受信装置。
＜１８＞  前記特定の通信は、前記送信装置において、緊急事態が発生したときに操作される操作部が操作されたときに、前記送信装置の位置情報がペイロードに格納された前記通信データが送信される通信である
＜１１＞乃至＜１７＞のいずれかに記載の受信装置。
＜１９＞  前記受信制御部により受信された通信データを、中継して他の受信装置に送信する送信制御部をさらに含む
＜１１＞乃至＜１８＞のいずれかに記載の受信装置。
＜２０＞  複数の送信装置の個体識別情報と、前記送信装置と自らとで共有している通信間隔情報とに基づいた、通信時刻、および通信周波数で通信データの受信を制御する受信制御部を備えた受信装置における受信方法であって、
前記受信制御部が、特定の通信において、前記複数の前記送信装置を複数のグループに分割したとき、前記送信装置が属するグループに設定されるグループ識別情報と、前記送信装置と自らとで共有している通信間隔情報とに基づいた、前記通信時刻、および前記通信周波数で通信データの受信を制御する
受信方法。
【符号の説明】
【０１８８】
１０１  通信システム，  １３１  送信装置，  １３２  受信装置，  １３３  クラウドサーバ，  １４１  中継器，  １５１  制御部，  １５２  GPS，  １５３  操作部，  １５４  通信部，  １５５  記憶部，  １５６  ドライブ，  １５７  リムーバブル記憶部，  １７１  制御部，  １７２  GPS，  １７３  操作部，  １７４  通信部，  １７５  記憶部，  １７６  ドライブ，  １７７  リムーバブル記憶部，  ２０１  通常送信パラメータ記憶部，  ２０２  特別送信パラメータ部，  ２０３  送信パラメータ選択部，  ２０４  送信時刻決定部，  ２０５  選択部，  ２０６  LPWA_ID記憶部，  ２０７  特別ID決定部，  ２０８  ID選択器，  ２０９  送信制御部，  ２２１，２２２  LFSR，  ２２３  PRN，  ２４１  受信時刻リスト，  ２４２  時刻情報取得部，  ２４３  受信制御部，  ２４４  特別ID処理部，  ２４５  送信制御部
【図１】
2020129634.tif 000003
【図２】
2020129634.tif 000004
【図３】
2020129634.tif 000005
【図４】
2020129634.tif 000006
【図５】
2020129634.tif 000007
【図６】
2020129634.tif 000008
【図７】
2020129634.tif 000009
【図８】
2020129634.tif 000010
【図９】
2020129634.tif 000011
【図１０】
2020129634.tif 000012
【図１１】
2020129634.tif 000013
【図１２】
2020129634.tif 000014
【国際調査報告】
2020129634.tif 000015
2020129634.tif 000016
2020129634.tif 000017
2020129634.tif 000018